(57)【要約】      （修正有）【課題】のぼり本体の片面のみならず反対側の面からも文字や図柄等が反転せずに正常な状態で見ることができるのぼりであり、従来提案されているものに比較して安価に製造できるのぼりを提供する。【解決手段】のぼり本体１が片面印刷された２枚の布帛１１、１２からなり、前記布帛１１、１２はそれぞれ印刷面が外側になるように重ね合わされ、その周縁が縫目１ａで縫合わされている。周縁の２辺に輪状の乳２が複数個取り付けられている。【選択図】図２
0003120312.tif 000002
【実用新案登録請求の範囲】
【請求項１】
のぼり本体が片面印刷された２枚の布帛からなり、前記布帛は印刷面が外側になるように重ね合わされ、その周縁が縫合わされていることを特徴とするリバーシブルのぼり。
【請求項２】
のぼり本体が片面印刷された２枚の布帛と、該布帛と同じ大きさのシート状物とからなり、前記２枚の布帛の間に前記シート状物が挟まれ且つ前記布帛の印刷面が外側になるように重ね合わされ、その周縁が縫合わされていることを特徴とするリバーシブルのぼり。
【考案の詳細な説明】
【技術分野】
【０００１】
本考案は広告用の旗またはのぼりに関するものである。
【背景技術】
【０００２】
従来、飲食店、パチンコ店、スーパーマーケット、車販売店などは、広告宣伝用にのぼり旗を店頭や街頭に１、２本から多数本まで設置して、通行人や走行中の車の運転手や同乗者の注目を引くようにしている。
【０００３】
通常ののぼりは片面に広告の文字や図柄などが印刷された細長い布地（のぼり本体）を竿に取付けたものである。片面印刷のため表側（印刷面）からのぼりを見れば、その宣伝広告の内容が分るが、印刷内容が布地の裏側に透けていても、裏側から見ると文字等が反転しているので、何が書いてあるのか分らない。このため広告効果は半減してしまう。このような問題点を解決する方法がいくつか提案されている。
【０００４】
例えば、実用新案登録第３０９５８２６号公報（特許文献１）では、緯糸に黒糸を用い、経糸に白糸や黄糸等を用いた両面サテンの二重織物をのぼり用布地とすることが提案されている。このように布地を厚くして、遮光率を８０〜１００％とすることにより表側の文字、図柄等が裏側に透けて見えないようにし、両面印刷を可能としている。
【０００５】
また、特開平１０−６０７８１号公報（特許文献２）には、織物や不織布の片面に白色塗料層および不透光性塗料層を順次塗布・乾燥し、更に白色塗料層を塗布し、その上に別の織物や不織布を載せて、前記白色塗料層を乾燥して、前記別の織物や不織布を貼着することが開示されている。このものは幟旗に使用され、両側の織物や不織布に印刷でき、不透光性塗料層によって文字、図柄等が反対側の生地に透けて見えないようにするとともに、白色塗料層により不透光性塗料層の色の影響が印刷面に表れないようにしている。
【０００６】
特開２００１−３３１１３６号公報（特許文献３）には、生地の表面に透過光線遮断層を形成し、この上に直接または生地の反対面から文字を印刷し、このような生地を２つ折りとするか２枚合せとして、竿への取付け辺を除く他の辺を解放状態とする旗・幟の製造方法が開示されている。この方法により製造されるのぼりは両側から文字を正しく見ることができるものである。
【特許文献１】実用新案登録第３０９５８２６号公報
【特許文献２】特開平１０−６０７８１号公報
【特許文献３】特開２００１−３３１１３６号公報
【考案の開示】
【考案が解決しようとする課題】
【０００７】
しかし、前述した特許文献１の織物は特別な織物であり、すなわち、２重織りであるので、生産効率が悪く、のぼり用布地としては非常に割高となってしまうという問題がある。
【０００８】
また、特許文献２のように、織物の片面に白色塗料層、不透光性塗料層、更に白色塗料層を形成して、別の織物を貼り合わせるということは、非常に手間隙が掛り、しかも原材料費もかかるので、製造コストが非常に高くなってしまうという問題がある。
【０００９】
特許文献３の方法でも金属酸化物を主剤とする透過光線遮断剤を塗布または印刷しなければならず、特許文献２と同様に、手間隙および原材料費がかかり、コスト高となるという問題がある。更に、特許文献３の方法によるのぼりは、竿に取付けられる辺以外を解放状態として、風の影響を受けやすくしているが、反って風によってのぼり旗が回動し過ぎたり、はためき過ぎて、宣伝広告用の文字などを読取り難くするという問題も生じる。
【００１０】
本考案は、このような問題を解決し、のぼり本体の片面のみならず反対側の面からも文字や図柄等が反転せずに正常な状態で見ることができるのぼりであり、前述した従来提案のものに比較して安価に製造できるのぼりを提供することを目的とする。
【課題を解決するための手段】
【００１１】
本考案は、のぼり本体が片面印刷された２枚の布帛からなり、前記布帛は印刷面が外側になるように重ね合わされ、その周縁が縫合わされていることを特徴とするリバーシブルのぼり、により前記目的を達成する。
【００１２】
また、本考案によれば、のぼり本体が片面印刷された２枚の布帛と、該布帛と同じ大きさのシート状物とからなり、前記２枚の布帛の間に前記シート状物が挟まれ且つ前記布帛の印刷面が外側になるように重ね合わされ、その周縁が縫合わされていることを特徴とするリバーシブルのぼり、により前記目的を達成する。
【考案の効果】
【００１３】
本考案によれば、のぼり本体が片面印刷された２枚の布帛からなり、２枚の布帛は印刷面が外側になるように重ね合わされ、その周縁が縫合わされているので、のぼりの両側から正常な状態（すなわち、反転していない状態）の宣伝広告の内容を見ることができる。従って、広告効果が１００％となり、従来の片面印刷だけののぼりに比較すると２本分の宣伝広告の効果がある。そして、のぼり本体を構成する２枚の布帛に別個に印刷できるので、印刷する文字、図柄、色合いなどは自由に選択でき、両方とも同じデザインとすることもできるし、それぞれ別のデザインとすることもできる。
【００１４】
また、本考案によれば、のぼり本体を構成する２枚の布帛はその周縁が縫合わされているだけで、文字や図柄などが描かれている箇所では２枚の布帛は離れている。そのため、一方の布帛の印刷内容が裏写りしても、他方の布帛の印刷内容が読み取れないということは生じない。
【００１５】
本考案によれば、のぼり本体用の２枚の布帛の周縁を縫合わせる工程が従来ののぼり製造工程より多くなるが、従来の製造工程でものぼり本体に多数の乳を縫い付ける際にミシンを使用しており、周縁の縫合わせは直線で縫うだけであるので、手間隙はそれ程増えない。しかも、２本分ののぼり旗を製造することに比較すれば、原材料費（乳、竿、固定ブロック）が１本分でよく、２本分ののぼり本体に乳を取付けることに比較すると周縁を縫合わせの方が手間がかからず、反って安価に製造できる。
【００１６】
また、本考案によれば、特許文献２および３のような透過光線遮断剤を塗布・乾燥するという特別な工程（すなわち、従来ののぼり旗の製造工程には存在しない工程）は不要であり、安価に製造することができる。
【００１７】
更に、本考案によれば、のぼり本体が２枚の布帛からなり、その周縁が縫合わされているので、各布帛が薄い生地であっても、全体として丈夫なものとなり、長持ちする。そして、風に対してもはためき難くなるので、のぼりの宣伝広告が見やすい。また、従来ののぼり本体は風の影響で激しく揺れ動いているうちに角部がほつれてくるが、本考案ののぼりでは２枚縫合わせているので、はためきによる布地のほつれも生じない。
【考案を実施するための最良の形態】
【００１８】
以下、図面に示した実施例に基いて本考案を詳細に説明する。図１（ａ）、（ｂ）は本考案ののぼり本体を構成する２枚の布帛のそれぞれの正面図であり、図２（ａ）、（ｂ）は乳を取付けた状態ののぼり本体の片面を示す正面図とその反対側の面を示す背面図であり、図３はのぼり本体を竿に取付けて、のぼりを立てた状態を示す正面図である。
【００１９】
本考案ののぼり本体１は２枚の布帛１１、１２からなる。布帛は従来から一般的にのぼりに使用されるものでよく、平織の合成繊維製の薄い生地が多用されている。また、不織布を使用してもよい。
【００２０】
各布帛１１、１２の片面（正面）には、広告宣伝用の文字や図柄が印刷されている。なお、図示した実施例では両布帛１１、１２に同じ「ラーメン」という文字を仮に入れたが、両布帛１１、１２にそれぞれ印刷される文字や図柄および色合いは同じでもよいし、異なっていてもよい。
【００２１】
本考案ののぼり本体１は両布帛１１、１２をそれらの印刷面が外側になるように重ね合わせ、その周縁をミシンにより縫目１ａで縫合わせることにより作られる。そして、短いテープを２つ折りにして、その輪の部分がのぼり本体１から突出するように縫着して、図２に示すように、乳２を設ける。テープの２つの自由端がのぼり本体１を挟むようにして縫い付けて、乳２とすることが好ましい。なお、乳２を幾つ設けるかは任意である。図２（ａ）はのぼり本体１において布帛１１の印刷面が現れており、図２（ｂ）はのぼり本体１の図２（ａ）とは反対側の面を示しており、布帛１２の印刷面が現れている。このように本考案ののぼり本体１は表裏の何れから見ても文字や図柄が正しく見える。
【００２２】
図３はのぼりを立てた状態であり、のぼり本体１に設けた乳２の輪の中に縦竿３および横竿４が通され、縦竿３の下端は固定ブロック５に差し込まれ、固定されている。
【００２３】
図４は本考案におけるのぼり本体１の別の実施例を模式的に示した断面図である。この実施例ではのぼり本体１は片面印刷された２枚の布帛１１、１２と、これら布帛１１、１２と同じ大きさのシート状物１３とから構成される。図４に示すように、シート状物１３は２枚の布帛１１、１２の間に挟まれており、両布帛１１、１２はそれぞれ印刷面が外側になるよう配置される。そして、重ね合わされた布帛１１、１２およびシート状物１３は、その周縁が縫目１ａで縫合わされて、のぼり本体１となる。こののぼり本体１に乳２を取付けりすることは、第１実施例と同じである。この第２実施例の場合、シート状物１３を使用する分、材料費は高くなる傾向があるが、布帛１１、１２を非常に薄くしても丈夫であり、また、どのような色彩を印刷しても両側から綺麗に見えるという利点がある。
【図面の簡単な説明】
【００２４】
【図１】図１（ａ）、（ｂ）は本考案ののぼり本体を構成する２枚の布帛のそれぞれの正面図である。
【図２】図２（ａ）、（ｂ）は乳を取付けた状態ののぼり本体の片面を示す正面図とその反対側の面を示す背面図である。
【図３】のぼり本体を竿に取付けて、のぼりを立てた状態を示す正面図である。
【図４】本考案におけるのぼり本体の別の実施例を模式的に示した断面図である。
【符号の説明】
【００２５】
１  のぼり本体
１ａ  縫目
１１、１２  のぼり本体を構成する布帛
１３  シート状物
２  乳
３  縦竿
４  横竿
５  固定ブロック
【図１】
0003120312.tif 000003
【図２】
0003120312.tif 000004
【図３】
0003120312.tif 000005
【図４】
0003120312.tif 000006